(57)【要約】【課題】トリガーの引き操作の後半で弓形バネ部の弾性変形抵抗を大きくすることにより、トリガーの自己復帰開始時に前方へ押し戻すためのバネ力を強くでき、トリガーを確実に自己復帰させることができるようにする。【解決手段】液体容器２内の液体を取り出すポンプ装置３と、ポンプ装置３に設けられたトリガー４と、トリガー４の引き操作で弾性変形するバネ５とを有し、バネ５は、上方凸に湾曲していてポンプ装置３の左右に配置された一対の弓形バネ部５０と、トリガー４に連接される前端部５０ａと反対側でポンプ装置３に横軸まわりの回動を許容して保持される支点部５１と、弓形バネ部５０の後方に延長されていて弓形バネ部５０の弾性変形途中からポンプ装置３に当接して弓形バネ部５０の弾性変形に抵抗を与える延長バネ部５２とを有する。【選択図】図１
2012101195.tif 000002
【特許請求の範囲】
【請求項１】
シリンダ内に備えるピストンの摺動で前記シリンダと連通させた液体容器内の液体を取り出すようにするポンプ装置と、このポンプ装置に設けられて引き操作時に前記ピストンを摺動させるトリガーと、このトリガーの引き操作で弾性変形して前記トリガーに押し戻し力を付与するバネとを有しており、
前記バネは、上方凸に湾曲していて前記ポンプ装置の左右に配置された一対の弓形バネ部と、トリガーに連接される前端部と反対側で前記ポンプ装置に横軸まわりの回動を許容して保持される支点部とを有しており、
前記バネはさらに、弓形バネ部の後方に延長されていて、弓形バネ部の弾性変形途中から前記ポンプ装置に当接して弓形バネ部の弾性変形に抵抗を与える延長バネ部を有することを特徴とするトリガーディスペンサー。
【請求項２】
前記ポンプ装置には、前記支点部を保持する支点保持部と、前記ポンプ装置と当接するべく延長バネ部に形成された当接部を保持する当接保持部とが設けられており、前記当接保持部は当接部との間にこの当接部の前後動を許容する遊び隙間を有することを特徴とする請求項１に記載のトリガーディスペンサー。
【請求項３】
前記支点保持部は、支点部を上方から挿入可能とし且つ支点部に前後遊び隙間を有して形成された係合口と、この係合口の上縁部で支点部の抜け止めをする抜止爪を有し、
前記当接保持部は、当接部を後方から挿入可能な係合口と、この係合口の後縁部で当接部に前後遊び隙間を有して抜け止めをする抜止爪を有することを特徴とする請求項２に記載のトリガーディスペンサー。
【発明の詳細な説明】
【技術分野】
【０００１】
本発明は、液体容器に装着して使用するトリガーディスペンサーに関するものである。
【背景技術】
【０００２】
トリガーを引き操作したり操作力を緩めたりすることで、ポンプ装置に備えられたピストンを動かし、液体容器内の液体を容器外へ取り出すようにするトリガーディスペンサーは公知である（例えば、特許文献１など参照）。
この種のトリガーディスペンサーでは、トリガーを引いた後の自己復帰用（引き操作前の状態へ戻すため）のバネが、トリガーの後部に配置されている。このバネは、互いに平行する左右一対（２本）の弓形バネ部が、互いの後端部同士を連結部材によって連結されている。これら左右一対の弓形バネ部は、上側に凸円弧状となるように湾曲され、それらの後端部同士を連結する連結部材は、前後方向に動かない状態として、回動のみが許容されるように保持されていた。
【先行技術文献】
【特許文献】
【０００３】
【特許文献１】特開２００２−３６１１２７号公報
【発明の概要】
【発明が解決しようとする課題】
【０００４】
トリガーを引き操作したとき、左右一対の弓形バネ部は、上方へ湾曲する曲率半径を小さくしつつ、前後方向の距離を縮めるように弾性変形して、この弾性変形によってトリガーを前方へ押し戻すためのバネ力を蓄えるようになっている。このようにして弓形バネ部に蓄えられるバネ力は、トリガーを引き操作する量に比例して、略一定割合で強くなるということがあった。
【０００５】
そのため、トリガーを引いた後の自己復帰力を確実に得るためには、弓形バネ部のバネ力は強くする必要があるが、バネ力を強くすると、トリガーの引き操作の前半から大きな操作力が必要となり、反対に、トリガー操作を軽くできるように弓形バネ部のバネ力を弱めると、トリガーを引いた後の自己復帰開始時の力が低下してしまうという二律背反の問題が生じていた。
【０００６】
本発明は、上記事情に鑑みてなされたものであって、トリガーの引き操作の後半で弓形バネ部の弾性変形抵抗を大きくすることにより、トリガーの自己復帰開始時に前方へ押し戻すためのバネ力を強くできるようにしたトリガーディスペンサーを提供することを目的とする。
【課題を解決するための手段】
【０００７】
前記目的を達成するために、本発明は次の手段を講じた。
即ち、本発明に係るトリガーディスペンサー１は、シリンダ１１内に備えるピストン１２の摺動で前記シリンダ１１と連通させた液体容器２内の液体を取り出すようにするポンプ装置３と、このポンプ装置３に設けられて引き操作時に前記ピストン１２を摺動させるトリガー４と、このトリガー４の引き操作で弾性変形して前記トリガー４に押し戻し力を付与するバネ５とを有しており、前記バネ５は、上方凸に湾曲していて前記ポンプ装置３の左右に配置された一対の弓形バネ部５０と、トリガー４に連接される前端部５０ａと反対側で前記ポンプ装置３に横軸まわりの回動を許容して保持される支点部５１とを有しており、前記バネ５はさらに、弓形バネ部５０の後方に延長されていて、弓形バネ部５０の弾性変形途中から前記ポンプ装置３に当接して弓形バネ部５０の弾性変形に抵抗を与える延長バネ部５２を有することを特徴とする。
【０００８】
このような構成であると、トリガー４を引き操作したとき、はじめに弓形バネ部５０が湾曲度合いを強める（曲率半径を小さくする）弾性変形によってバネ力を発現させ、続いて、延長バネ部５２が湾曲度合いを強める弾性変形によってバネ力を発現させるようになる。延長バネ部５２のバネ力は、弓形バネ部５０に生じる弾性変形に抵抗を与えるようになり、弓形バネ部５０に発現するバネ力は益々強くなる。
【０００９】
そのため、トリガー４を後方へ大きく引き操作したときに、その引き操作の後半で弓形バネ部の弾性変形抵抗が大きくなり、引き操作解除後には、トリガーを前方へ押し戻すためのバネ力は強くなり、この強いバネ力によってトリガー４は確実に自己復帰を開始することができる。
前記ポンプ装置３には、前記支点部５１を保持する支点保持部３５と、前記ポンプ装置３と当接するべく延長バネ部５２に形成された当接部５３を保持する当接保持部３６とが設けられており、前記当接保持部３６は当接部５３との間にこの当接部５３の前後動を許容する遊び隙間を有するものとしてもよい。
【００１０】
前記支点保持部３５は、支点部５１を上方から挿入可能とし且つ支点部５１に前後遊び隙間６２を有して形成された係合口６０と、この係合口６０の上縁部で支点部５１の抜け止めをする抜止爪６１を有し、前記当接保持部３６は、当接部５３を後方から挿入可能な係合口６４と、この係合口６４の後縁部で当接部５３に前後遊び隙間６７を有して抜け止めをする抜止爪６５，６６を有したものとすることができる。
【発明の効果】
【００１１】
本発明に係るトリガーディスペンサーは、トリガーの引き操作の後半で弓形バネ部の弾性変形抵抗を大きくすることにより、トリガーの自己復帰開始時に前方へ押し戻すためのバネ力を強くでき、トリガーを確実に自己復帰させることができる。
【図面の簡単な説明】
【００１２】
【図１】本発明の実施形態を示した側断面図である。
【図２】同平面図である。
【図３】同背面図である。
【図４】トリガーディスペンサーのバネを分離させた状態で示した斜視図である。
【発明を実施するための形態】
【００１３】
以下、本発明の実施の形態を、図面に基づき説明する。
図１乃至図４において、トリガーディスペンサー１は、液体容器２から各種洗浄剤やワックスなどの液体（粘液状やゼリー状の他、ムース状等のものでもよい）を噴出させて定量的に取り出すために、液体容器２に装着されるものであって、ポンプ装置３と、トリガー４と、バネ５とを有している。
【００１４】
なお、図１では、ポンプ装置３とバネ５、更にトリガー４の上端部が、ケーシングカバー７により覆われたものとして例示してある。また以下の説明では、液体の噴出方向をこのトリガーディスペンサー１の前方とおく。
ポンプ装置３は、液体容器２の上部口部２ａに対して着脱が可能とされた装着部１０と、この装着部１０を基礎にして設けられたシリンダ１１と、このシリンダ１１内で摺動自在に内嵌されたピストン１２と、シリンダ１１と液体容器２の内部とを連通させる液体流通部１３とを有している。
【００１５】
装着部１０は、上部が閉塞された円筒状のベース筒部１５の回りにキャップ体１６が上下動を阻止されながら回転自在に外嵌されたものであって、キャップ体１６の内周面には、液体容器２における上部口部２ａの外周面に形成された雄ねじと螺合可能とされた雌ねじ１７が形成されている。
液体流通部１３は、装着部１０のベース筒部１５を上下方向に貫通するようにして設けられた立管部２０と、この立管部２０の上端部から前方へ屈曲するようにして設けられた横管部２１と、この横管部２１の前方に連結されたノズル部２２とを有している。立管部２０の下端部には、液体容器２内へ挿入されて下端部を容器内の液体へ浸漬させる吸液パイプ２３が接続されている。
【００１６】
立管部２０の管内部には、横管部２１との連結部に近接した位置に管内径を拡大させたスペースが形成され、このスペース内に一次側逆止弁２６が設けられている。この一次側逆止弁２６は、目皿部２７と弁バネ２８と半球状弁体２９とを有しており、弁バネ２８によるバネ力で、半球状弁体２９を前記スペースの液体容器２側に設けられた球状弁座へ押圧付勢して、立管部２０内を遮断するようになっている。
【００１７】
また横管部２１とノズル部２２との間にもスペースが形成され、このスペース内に二次側逆止弁３０が設けられている。この二次側逆止弁３０は、目皿部３１と弁バネ３２と半球状弁体３３とを有しており、弁バネ３２のバネ力で、半球状弁体３３を横管部２１に設けられた球状弁座へ押圧付勢して、この横管部２１内を遮断するようになっている。
立管部２０の後部には、上部寄りから後方へ突出する支点保持部３５と、下部寄りから後方へ突出する当接保持部３６とが設けられている。これら支点保持部３５及び当接保持部３６はバネ５を保持するためのものであるが、その詳細については後述する。
【００１８】
ノズル部２２は、前記した二次側逆止弁３０のまわりを取り囲むようにして横管部２１から前方へ突出して連結されたスリーブ４０に対し、その前端部に、液体を噴出するノズル孔２２ａを備えたノズルキャップ４１が外嵌された構造である。ノズルキャップ４１の回転により、スリーブ４０に対するノズルキャップ４１の出入り調節ができるようにして、ノズル孔２２ａの開度調節〜止栓切り換えを行えるようにすることもできる。
【００１９】
シリンダ１１は、装着部１０のベース筒部１５上で前方へ開口を向けた横向きの円筒形に形成されている。シリンダ１１の後端部は、液体流通部１３の立管部２０との間を仕切るような状態で閉塞されており、この閉塞部分には、立管部２０内に設けられた一次側逆止弁２６に対して、目皿部２７と半球状弁体２９との間と連通する連通孔４３が形成されている。
【００２０】
このシリンダ１１に対し、ピストン１２は外周面を水密的に接触させたまま、前後動自在に嵌るように、軸心を前後方向へ向けた円盤状に形成されている。従って、このピストン１２の後進時には、シリンダ１１の連通孔４３から立管部２０内（一次側逆止弁２６における目皿部２７と半球状弁体２９との間）へ空気を圧送することができ、前進時には、連通孔４３から立管部２０内の空気を吸い出すことができるようになっている。このピストン１２には、円盤形の中心部から前方へ突出する伝動ピン４５が設けられている。
【００２１】
トリガー４は、ポンプ装置３に対して、ノズル部２２の下部であって且つシリンダ１１の前部となる配置で、下方突出状に設けられている。このトリガー４の上端部は、ポンプ装置３のスリーブ４０を左右両側から挟持できるように二股状に形成されており、この二股状部分の内側と、スリーブ４０の左右両側面との間で、軸心を左右方向へ向けた揺動枢軸４６を介して当該トリガー４が前後揺動自在となるように連結されている。また、このトリガー４の後面には、ピストン１２の伝動ピン４５が係合され、連接状態となっている。
【００２２】
従って、このトリガー４の前面に指を掛けて後方へ引き操作すると、トリガー４が揺動枢軸４６を支点にして、図１に示す操作範囲Ｓ１で後方へ揺動するようになり、この揺動に合わせ、ピストン１２が後方へ押されてシリンダ１１内を後進する。
図４に示すように、このトリガー４には、バネ５と連接するためのバネ受部４７が、前記二股状部分の左右両外側であって且つ揺動枢軸４６よりも下方となる位置（所定の揺動半径を離した位置）に設けられている。このバネ受部４７は、後方へ向けて角形の開口を形成させたものである。またこのバネ受部４７において、角形開口の奥部は閉塞されている。
【００２３】
バネ５は、ポンプ装置３の左右に配置される一対の弓形バネ部５０と、これら両弓形バネ部５０を左右方向で所定間隔に保持するように連結する横棒状の支点部５１と、この支点部５１を越えて更に後下方へ向けて各弓形バネ部５０から延長するように設けられた一対の延長バネ部５２と、これら両延長バネ部５２の後端部を左右方向で所定間隔に保持するように連結する横棒状の当接部５３とを有している。
【００２４】
なお、弓形バネ部５０と延長バネ部５２との相対長さ比において、弓形バネ部５０が長く延長バネ部５２が短くなるように、支点部５１及び当接部５３が設けられている。
支点部５１による左右の弓形バネ部５０間の保持間隔と、当接部５３による左右の延長バネ部５２間の保持間隔とは略同じとされており、従って左側の弓形バネ部５０及び延長バネ部５２と、右側の弓形バネ部５０及び延長バネ部５２とは、互いに平行するようになっている。
【００２５】
図１に示すように、弓形バネ部５０は、側面視上方凸となるように湾曲して形成されており、その前端部５０ａは、側面視半円形に形成されている。この前端部５０ａが、前記したトリガー４のバネ受部４７へ差し込まれ、このバネ受部４７内で前方移動を阻止するように当て止めされる。また、この弓形バネ部５０は、帯板状の樹脂素材（例えばポリオレフィン系の樹脂材等）をその帯幅方向が上下方向を向くようにして形成したものであって、前記した上方凸の湾曲形状について、湾曲度合い（曲率半径）を強めたり弱めたりする外力に対して弾性変形すると共に、この弾性力により、外力の解除後には、元の上方凸状態に戻るべく形状を復元させるようになっている。
【００２６】
支点部５１は、断面形状が、前部が半円形で後部が方形状の前円後方形状に形成されている。この支点部５１には、左右両端側の下面部から側面視三角形に突出する振れ止め部５５が設けられている。
延長バネ部５２は、その断面形状が弓形バネ部５０の断面形状と略同一に形成され、側面視形状が弓形バネ部５０の後部と略同様な湾曲形状で、弓形バネ部５０の後部から延伸した状態で後方に凸円弧を描くような湾曲が付されている。
【００２７】
当接部５３は、左右延長バネ部５２の中央に位置し、断面形状が円形であって、左右方向両端側に当接部５３と同心でかつ径大な振れ止め部５６が設けられている。
一方、前記したポンプ装置３において、立管部２０に設けられた支点保持部３５は、バネ５の弓形バネ部５０に設けられた支点部５１を保持するためのものである。この支点保持部３５は、左右方向に貫通した状態で、且つ支点部５１を上方から挿入可能にした係合口６０と、この係合口６０の上縁部で支点部５１の抜け止めをする抜止爪６１とを有している。
【００２８】
係合口６０は、上方解放の鉤形突出片によってその内側に形成されたもので、前円後方形状の支点部５１が挿入されたときには、この支点部５１の平坦な背面と面接触して支持可能な面を有しており、また、支点部５１に前後方向の遊動を生じさせかつ支点部５１の回動を許容するように前後遊び隙間６２を有した大きさとされている。
なお、支点部５１を係合口６０に挿入すると、支点部５１の左右両端側に設けられた振れ止め部５５が係合口６０の左右両側に係合するようになり、支点部５１は左右方向へのガタツキが防止される。
【００２９】
これに対し、抜止爪６１は、係合口６０の上端後部から前方へ突出して形成されている。この抜止爪６１が前方突出した状態であっても、係合口６０の上部開口が確保される（塞がれない）ように、抜止爪６１の前方突出量は制限されており、上方からの支点部５１の嵌め込みを容易にしてある。なお、抜止爪６１の前端部は下縁よりも上縁が後方となる方向で傾斜させてあり、支点部５１の嵌め込みを一層容易にしてある。
【００３０】
また、この抜止爪６１により、係合口６０内に形成される後半部の開口形状は、支点部５１における前円後方形状の後半部と相似形で、下面、後面、上面でそれぞれ接触可能な角形に形成されている。
係合口６０に挿入された支点部５１は、係合口６０に上部開口が確保されていること、係合口６０内に前後遊び隙間６２が設けられていること、及び支点部５１における断面形状の前端側が半円状であることにより、回動（ねじり動作）が許容されている。そのため、バネ５が弓形バネ部５０の前端部５０ａをトリガー４によって後方へ押され、弓形バネ部５０の弾性変形が大きくなってくると、この支点部５１は、ポンプ装置３に対して横軸まわりに回動することになる。即ち、支点部５１は前円後方形状であることにより、回動するとその中心は前移動する。その前移動は係合口６０内の前後遊び隙間６２によって許容される。
【００３１】
また、前記したポンプ装置３において、立管部２０に設けられた当接保持部３６は、バネ５の延長バネ部５２に設けられた当接部５３を保持するためのものである。この当接保持部３６は、左右方向に貫通した状態で、且つ当接部５３を後方から挿入可能な係合口６４と、この係合口６４の後縁部で当接部５３の抜け止めをする抜止爪６５，６６とを有している。
【００３２】
係合口６４は、互いに平行して後方突出する上下一対の突出片間で形成されたもので、当接部５３が挿入されたときには、この当接部５３に前後方向の遊動を生じさせるように前後遊び隙間６７を有した大きさとされている。
当接部５３を係合口６４に挿入すると、当接部５３の左右両端側に設けられた振れ止め部５６が係合口６４の左右両側に係合するようになり、当接部５３は左右方向へのガタツキが防止される。
【００３３】
これに対し、上部の抜止爪６５は係合口６４の後端上部から下方へ突出し、下部の抜止爪６６は上部の抜止爪６５に対向するように係合口６４の後端下部から上方へ突出して形成されている。これら抜止爪６５，６６が上下対向状に突出していても、係合口６４の後部開口は確保される（塞がれない）ように、抜止爪６５，６６の突出量は制限されており、後方からの当接部５３の嵌め込みを容易にしてある。
【００３４】
前記抜止爪６５，６６の各後端部は、両爪間にできる開口が後方ほど上下に広がる方向で傾斜させてあり、当接部５３の嵌め込みを一層容易にしてある。
このようなバネ５は、ポンプ装置３の左右両側へ弓形バネ部５０を振り分け、これら両弓形バネ部５０の前端部５０ａをトリガー４のバネ受け部４７に差し込み、そのうえで、先に係合口６０に対してその上方から支点部５１を押し下げて嵌め込み、次に係合口６４に対してその後方から当接部５３を前方へ押し込んで嵌め込むようにする。
【００３５】
支点部５１はその左右に位置する振れ止め部５５が支点保持部３５の側面に当接することにより左右位置が規制され、また、当接部５３はその左右に位置する振れ止め部５６が当接保持部３６の側面に当接することにより左右位置が規制され、それらによってバネ５はポンプ装置３に対して常に正常な位置に配置されている。
次に、本発明に係るトリガーディスペンサー１の操作状況を説明する。
【００３６】
ポンプ装置３では、トリガー４の引き操作で伝動ピン４５を介してピストン１２がシリンダ１１内の後方へ押し込まれるようになる。ピストン１２の後進に伴い、シリンダ１１の連通孔４３から立管部２０内へ空気が圧送され、この空気は、一次側逆止弁２６の目皿部２７を介して横管部２１内を通り、二次側逆止弁３０を押し開いてノズル部２２のノズル孔２２ａから外方へ噴出される。
【００３７】
トリガー４の引き操作後、トリガー４がバネ５により自己復帰するときには、ピストン１２がシリンダ１１内を前進するので、立管部２０内の空気が連通孔４３を介してシリンダ１１内へ吸い出される。これに伴い、立管部２０内が低圧化されて一次側逆止弁２６が開かれ、液体容器２内の液体が吸液パイプ２３を介して立管部２０から横管部２１及びシリンダ１１内へと吸い上げられる。
【００３８】
従って、次にトリガー４を引き操作したときに、その引き操作量に応じて、立管部２０や横管部２１及びシリンダ１１内へ吸い上げられた液体が、ノズル部２２のノズル孔２２ａから前方へ噴出される。
前記トリガー４の引き操作に伴い、バネ５は弾性変形する。図１に実線で示す状態のバネ５は、支点部５１が支点保持部３５の係合口６０内の後端位置に当接し、また当接部５３が当接保持部３６の係合口６４内の後端位置に当接している。
【００３９】
トリガー４の前面に指を掛けて後方へ引き操作すると、このトリガー４は揺動枢軸４６を支点として後方へ揺動する。このトリガー４の後方揺動の全操作範囲Ｓ１の内の前範囲Ｓ２で、弓形バネ部５０は前端部５０ａが後方へ押され、上方への湾曲度合いを増す（曲率半径を小さくする）ように弾性変形を始める。
弓形バネ部５０の弾性変形途中において、弓形バネ部５０に蓄えられたバネ力が強くなるのに伴い、支点部５１に生じる横軸まわりのねじり作用も増加し、このねじり作用がある程度の強さになると、支点部５１の下面、後面、上面と支点保持部３５の内面との接触が離れるようにして、支点部５１が回動する。そのため、弓形バネ部５０に付与された後向きの押し作用が延長バネ部５２にも伝えられるようになり、これに伴って当接部５３は当接保持部３６内を前方へ移動する。
【００４０】
トリガー４の後方揺動の後範囲（後半）Ｓ３で、当接部５３が当接保持部３６内の前端位置に当接して前方移動が規制されると（ポンプ装置３との当接で当て止めされた後）、それ以上のトリガー４の後方揺動による弓形バネ部５０の弾性変形には、延長バネ部５２の存在（突っ張り）が抵抗となり、トリガー４の引き操作力により大きい力が必要になる。
【００４１】
延長バネ部５２の抵抗に抗して、トリガー４に大きな引き操作力を加えて弓形バネ部５０を弾性変形させることにより、弓形バネ部５０には強力な弾性復元力が蓄えられる。そして結果として、トリガー４の引き操作を解除したときに、トリガー４の戻り動作初期に、トリガー４を前方へ押し戻す（自己復帰させる）ための強いバネ力を発生させることができる。
【００４２】
前記トリガー４の後方揺動の後範囲Ｓ３は、全操作範囲Ｓ１の５〜４０％に設定されており、１０〜３０％が好ましく、トリガー４を揺動範囲の最終位置又はその近傍まで引いたときに、弓形バネ部５０の弾性復元力を前範囲Ｓ２より強力にすればよい。
液体を噴出させるためのトリガー４の引き操作は、バネ５の弓形バネ部５０が支点部５１を支点として弾性変形する前範囲Ｓ２内（延長バネ部５２によるバネ力が強く付加されない範囲内）で、繰り返し行うことが好ましい。
【００４３】
即ち、支点部５１は後部が方形状の断面形状とされ、その下面、後面、上面が支点保持部３５の内面と接触しているので、平坦な背面が支点部５１との面接触により安定的に支持され、トリガー４の前範囲Ｓ２の揺動では支点部５１の回動が少なく、弓形バネ部５０は弾性変形し易く、トリガー４の引き操作力は大きくならないので、頻繁な引き操作が軽くかつ容易にできる。
【００４４】
また、トリガー４は図１に実線で示す位置が揺動前端位置となっていて、それ以上の前方向揺動は規制されており、この状態でバネ５は若干圧縮状態でセットされており、トリガー４がぶらぶらしないようになっている。
さらに、前記バネ５は左右弓形バネ部５０が左右外方へ弾性変形することは許容されているが、トリガー４の全操作範囲Ｓ１において、弓形バネ部５０から延伸した延長バネ部５２が、前記弓形バネ部５０の左右外方弾性変形に抵抗を与えて抑制している。
【００４５】
本発明は、前記実施形態に限定されるものではなく、実施の形態に応じて適宜変更可能である。
例えば、支点保持部３５は、支点部５１を断面円形に形成し、支点部５１を挿入した状態で前後遊び隙間６２が生じない大きさに形成して、支点部５１が前後動しない構成としてもよい。
【００４６】
支点部５１及び当接部５３は、断面角形（三角形以上の多角形）としたり断面楕円形等としたりしてもよい。
支点保持部３５は係合口６０を当接保持部３６と同様に後方へ開口する構造としたり、当接保持部３６は支点保持部３５と同様に上方へ開口する構造としたりしてもよい。また、支点保持部３５と当接保持部３６とは前後方向にずれた配置としてもよい。
【００４７】
バネ５（弓形バネ部５０及び延長バネ部５２）は、バネ材などの金属素材によって形成することもできる。
【符号の説明】
【００４８】
１      トリガーディスペンサー
２      液体容器
３      ポンプ装置
４      トリガー
５      バネ
１１    シリンダ
１２    ピストン
３５    支点保持部
３６    当接保持部
５０    弓形バネ部
５０ａ  前端部
５１    支点部
５２    延長バネ部
６０    係合口
６１    抜止爪
６２    前後遊び隙間
６４    係合口
６５    抜止爪
６６    抜止爪
６７    前後遊び隙間
【図１】
2012101195.tif 000003
【図２】
2012101195.tif 000004
【図３】
2012101195.tif 000005
【図４】
2012101195.tif 000006